(57)【要約】  【課題】  従来の寝たきり患者用の用便器では、ベッドに一体化したものが多く、一部を可動にするなどベッド自体に対する加工が多く大型化すると共に、特別仕様となるので生産数も少なく高価となり普及が困難である問題点を生じていた。  【解決手段】  本発明により、便器本体部２を、取っ手部４と膝置き部５と足かけ部６の３種類の保持手段が設けられた便器保持部３内に保持した状態でベッド上に置き、上記３箇所の保持手段を患者に保持させた状態でベッド１０の床板１１の上半部１１ａを適宜な角度まで起こすことで便器と局所とを最適の位置とし、且つ、取っ手部、足かけ部により適宜の排便時の踏ん張りも可能として、寝たきり状態の患者であっても通常の構造のベットで簡便に排便ができるものとし、看護時におけるコスト低減を可能とする。【選択図】      図２
2006055211.tif 000002
【特許請求の範囲】
【請求項１】
床板が少なくとも患者の頭部から腰部までの上半身部を頭部側を高くして背もたれ状に設定することが可能な上半部の構成とされているベッド上で使用するベッド上置型排泄用補助器であり、前記ベッド上置型排泄用補助器は、便器本体部と便器保持部とで構成され、前記便器保持部は中空の略箱状の形状とされて、入口側が適宜に高くなるように前記便器本体部を着脱可能として保持し、且つ、前記便器保持部には患者の身体に対して直角方向のバー状に、両手で掴む取っ手部と、使用時にはそれぞれの膝を載置しておく膝置き部と、足かけ部とが設けられ、少なくとも、前記取っ手部と足かけ部とは患者の体格、若しくは、好みに応じる前後、上下の少なくとも一方向への位置調整が可能な構成とされていることを特徴とするベッド上置型排泄用補助器。
【請求項２】
前記取っ手部と足かけ部との少なくとも一方には、何れか一方向への偏寄力が与えられると共に、この偏寄力を停止させるストッパが設けられており、前記ストッパが解放されたときには、前記偏寄力に抗する方向に力を加える運動が行得るようにすることで、リハビリテーション器具としての機能も有することを特徴とする請求項１記載のベッド上置型排泄用補助器。
【発明の詳細な説明】
【技術分野】
【０００１】
本発明は、寝たきり老人、或いは、手術後の病人など歩行による移動が困難で、用便をベッド状で行わざるを得ない病人用にベッド上で用途が足せるように構造に配慮が行われた便器であり、詳細には、病院などで通常に採用されている標準的なベッドにおいても、簡便に使用可能なベッド上置型排泄用補助器の構成の提供を目的とする。
【背景技術】
【０００２】
例えば、寝たきり老人など、ベッドから離れることができない重篤な病人用の排泄用便器としては、ベッドの、マットを含む床板部分を、頭から腰までの上半身部分と、腰から膝までの臀部部分と、それ以下の脚部部分とに分け、それぞれが所定の動作を行えるように分割して形成しておく。
【０００３】
そして、使用時には、脚部部分の床板部分をマットを含み移動させて病人の下から取り除く。同時に上半身の部分を立ち上げて、椅子の背もたれ状とする。尚、このときには、前記臀部部分は移動は行わない。また、上記の各部の作動は人力で行っても良く、或いは、動力で行っても良い。
【０００４】
上記のように作動させることで、病人は臀部部分を座面として、上半身部分に背中を保持されて、あたかも椅子に座っている状態となり、いわゆる西洋便器を使用するときと同様な状態となる。そして、ベッドの下方には、便受け容器が配置されているので、病人は西洋（洋式）便器を使用するのと同じ状態で用便を行うことができる。
【０００５】
そして、終了した後には、看護人は上記の逆手順として、ベッドの上半身部分を水平に倒した後に、ベッドの脚部部分の床板部分とマットとを病人の下半身を支える位置に挿入すれば、本来のベッドの形状に復旧するものとなる。また、便受け容器は取り外し可能としておいて、内容物を別所で処理しても良く、或いは、直接に給排水装置を設け、いわゆる水洗方式として人手に頼らず洗い流すなどは自在である。
【特許文献１】２００１−０６１９０２号公報
【特許文献２】２０００−２７９４５４号公報
【発明の開示】
【発明が解決しようとする課題】
【０００６】
しかしながら、上記したベッドの構成は、何れもベッド自体に便器が取付けられているものであり、即ち、寝たきり状態となった病人など重篤者用の専用品となってしまう。従って、自分で用が足せる大多数の病人は使用する必要が無く、よって、必要数も極めて少ないものとなり、量産ラインには乗らず特別製となって極めて高価なものとなるという問題点を生じる。
【０００７】
また、第二には、床板部分に移動する部分が存在すると、使用時の床板部分の移動のための余裕寸法を考慮してベッド間の間隔も充分なものとしておかなければ成らず、１台あたりの必要面積も広くなり、例えば、通常のベッドでは８台収納可能な部屋に６台しか収納できなくなり、病院全体の収納人員も減少させる問題点も生じる。特に、給排水の配管が行われて、水洗式とされたものについては、ベッド自体の移動も困難となり、緊急時における手術室、ＩＣＵ室、ＣＣＵ室などへの移送なども困難となる。
【０００８】
更に言えば、上記床板部分上面にはマットが載置してあるのが通常であり、床板の下側に設置された便器を使用するためのは、床板と共に該当する部分のマットも取り外しを行わなければ成らず、同様に使用の終了後には患者の身体の下にマットを嵌め込まなければ成らず、患者の身体の上げ下げ、或いは、横移動を必要とし、患者、看護人双方に与える負担が意外に大きい問題点も生じている。また、複雑な構成の割には患者に対する利点が少ないという問題点もある。
【課題を解決するための手段】
【０００９】
本発明は、上記した従来の課題を解決するための具体的手段として、床板が少なくとも患者の頭部から腰部までの上半身部を頭部側を高くして背もたれ状に設定することが可能な上半部の構成とされているベッド上で使用するベッド上置型排泄用補助器であり、前記ベッド上置型排泄用補助器は、便器本体部と便器保持部とで構成され、前記便器保持部は中空の略箱状の形状とされて、入口側が適宜に高くなるように前記便器本体部を着脱可能として保持し、且つ、前記便器保持部には患者の身体に対して直角方向のバー状に、両手で掴む取っ手部と、使用時にはそれぞれの膝を載置しておく膝置き部と、足かけ部とが設けられ、少なくとも、前記取っ手部と足かけ部とは患者の体格、若しくは、好みに応じる前後、上下の少なくとも一方向への位置調整が可能な構成とされていることを特徴とするベッド上置型排泄用補助器を提供することで、通常のコストで且つ通常の機能のベッド上で、上記に説明した専用便器付きのものと比較してそれ程に変わらない手間で処理ができる便器を提供可能として、課題を解決するものである。
【発明の効果】
【００１０】
本発明により、腰部に対して頭側を高く設定できる極めて通常に使用されているベッド上に設置することで、簡便に使用できる便器としたことで、特別なベットの必要性を無くし、安価に実施を可能とすると共に、病院、家庭の何れでも使用可能として汎用性も向上させるという極めて優れた効果を奏するものである。
【発明を実施するための最良の形態】
【００１１】
つぎに、本発明を図に示す実施形態に基づいて詳細に説明する。図１に符号１で示すものは本発明に係るベッド上置型排泄用補助器であり、このベッド上置型排泄用補助器１は、上記に説明した従来例のものと異なりベット１０と一体化されることはなく、別品として形成されており、必要が生じる度にベット１０上の所定位置に置かれて使用される。
【００１２】
まず、ベッド上置型排泄用補助器１の構成について説明を行えば、このベッド上置型排泄用補助器１は大別して、便器本体部２と便器保持部３とから構成されている。そして、便器保持部３は、例えば後方、即ち、患者の脚部側から便器本体部２を挿入することで、保持する構成とされている。尚、図中に符号２ａで示すものは、使用しない状態で便器本体部２の開口部を覆う蓋である。
【００１３】
このときに、前記便器本体部２は、既製のものであっても良く、或いは、本発明のベッド上置型排泄用補助器１に併せて新規に設計したものであっても良い。尚、市販のものを採用するときには、溲瓶と称されている男性用の小便専用のものもあるので、このものも大便用のものに替えて取付けられるようにしておくことが好ましい。
【００１４】
以上の説明のように内部に便器本体部２が取付けられるように構成された便器保持部３には、患者がベッド１０に寝ている状態に対して直交する方向に、適宜の長さとした３本のバー状部材が両側に突出させられている。そして、自転車のハンドルのように両手で握持するのに適宜な位置に設けられるものは取っ手部４であり、例えばグリップ４ａが取付けられていて、握りやすいように考慮されている。
【００１５】
前記取っ手部４に対してやや下方（患者の脚部寄り）であり且つベッド１０寄りに設けられるのが膝置き部５であり、膝の関節を乗せることで腰部に対して脚（腿部）を適宜に前方に曲げ、便器本体部２に対する排泄の方向を適切なものとすると共に、両脚を適宜に拡げ排泄を容易に行える体勢を患者に与える。
【００１６】
そして、前記膝置き部５から適宜となる距離の位置には足かけ部６が設けられている。尚、膝置き部５から足かけ部６までの長さは患者の身長により各人毎に異なるものであるので、例えば、スライド機構とネジ止めなどで、患者に併せる適宜な位置を設定できるものとしておくことが好ましい。
【００１７】
図２は、本発明に係るベッド上置型排泄用補助器１の使用時の状態を示すものであり、まず、ベッド１０の床板１１が平面の状態で、患者の股間の適宜な位置に便器本体部２をセットした便器保持部３を置く。尚、図示は省略するが、この状態に置いては、当然に床板１１の上面はマットなどで覆われているものであり、よって、ベッド上置型排泄用補助器１はマット上に置かれるものとなる。
【００１８】
そして、膝の部分を膝置き部５に、両足を足かけ部６に乗せて、更に両手で取っ手部４を握らせ、床板１１の上半部１１ａを患者が好む適宜な角度まで起こせば、臀部と便器本体部２は設定した角度で接するものとなり、便器本体部２は排泄物を内部に収納するのに適切な位置のものとなる、尚、このとき、前記床板１１の中間部１１ｂ、下半部１１ｃには、角度を変更する必要は生じないものである。
【００１９】
ここで、本発明により設けられた、取っ手部４、膝置き部５、足かけ部６の作用、効果について説明を行うと、排便時に取っ手部４、或いは、足かけ部６に適宜に力を入れて踏ん張ることで、健康であったときに便所で行っていた状態に、近づくものとなり、腹部などに力が加えられるものとなって、排便がスムースに行われるものとなる。
【００２０】
また、通常であると、このようにベッド１０上で排便を行う場合には、看護人は便器が患者の所定位置となるように注意深く保持している必要があるが、本発明のベッド上置型排泄用補助器１を使用する場合には、患者自身が取っ手部４と足かけ部６とにより保持すると共に、床板１１の上半部１１ａを適宜角度傾けたことにより、患者と便器との密着度も向上し、外部への漏れ量も少なくすることが可能となる。
【００２１】
このときに、前記便器保持部３の下辺を板状、或いは、枠状に床板１１と平行な面状とした接地部３ａを設けておき、床板１１或いはマット（図示せず）に接しているようにしておけば、患者の身体と直交方向への支えが行われるものとなり、上記した手足に力を加えるときにアンバランスを生じたとしても患者がベッド上置型排泄用補助器１と共に横転するなどは防止できるものとなり、安全性が向上する。また、足かけ部６においても踏み外しなどを生じないように適宜な形状のペダル６ａなどを取付けておくことは自由である。
【００２２】
上記は、本発明に係るのベッド上置型排泄用補助器１の使用状態、及び、作用、効果を説明したものであるが、この説明でも明らかなように本発明のベッド上置型排泄用補助器１は、使用に当たり単にベッドに乗せるのみで良く、接続される部位は全くなく、よって、ベッドに対する改造なども全く必要とすることがない。
【００２３】
しかも、使用するベッドに対し要求される機能は、少なくとも床板１１の上半部１１ａの傾斜が変えられれば良いと云うものであり、現状では病人用のベッドにいては、ほとんど全てのものに備えられている機能のみであり、即ち、実用性、汎用性は極めて高いと言えるものである。
【００２４】
このことは、既製のベッド１０の全てに対して使用が可能であると云うことであり、加えて、例えば、床板１１の下方に便器を設置するなども行わないので床板１１、或いは、マットの一部を着脱可能とするなどの改造の必要もないものとなる。また、それにより、ベッド１０の１台あたりの設置面積が増えるなどの問題も生じることはなく、また、改造のための不要負担なども生じない。更には、使用時にはベッド１０の上に乗せるのみであり、使用時の操作も極めて簡便である。
【００２５】
更に言えば、本発明のベッド上置型排泄用補助器１は、市販の便器など便器本体部２を収納する便器保持部３と、取っ手部４、膝置き部５、足かけ部６など３本のパイプ状部材とを主な部材として構成されているものであるので、軽量で且つ安価に生産が可能であり、病院などに限らず、一般家庭で介護を受けている寝たきり老人などに対しても、使用が可能である。
【００２６】
図３は、本発明に係るベッド上置型排泄用補助器１の別の実施形態であり、この実施形態においては、前記取っ手部４は、例えば、膝置き部５を軸として回動自在に形成されると共に、コイルスプリング７、或いは、ゴムなどで一方向に、例えば、足かけ部６の方向へ回転する偏寄力が与えられている。
【００２７】
また、図示は省略するが、前記足かけ部６は、例えばテレスコピック構造とされると共に、縮み側の偏寄力が与えられている。尚、何れの偏寄力も、スプリング、或いは、ゴムを調整する、或いは、交換することで偏寄力の強さが調整できることが好ましいものとなる。
【００２８】
上記のように構成されたベッド上置型排泄用補助器１は排泄を行うときの補助器としての用途の他に、リハビリテーション機器としての使用もできるものとなる。即ち、排泄用の補助器として使用していないときには、例えば、取っ手部４を利用して腕の上下運動を行えば腕に対する筋力運動ができ、足かけ部６の偏寄力に抗して脚の屈伸運動を行えば脚の筋力トレーニングができるものとなる。
【００２９】
尚、このように、リハビリテーション機器としての使用もできるものとする場合には、前記ベッド上置型排泄用補助器１としての機能を損なわない範囲においては、前記膝置き部５なども利用するものとしても良い。例えば膝の曲げ伸ばしに困難を生じている場合には、足かけ部６に脚を固定して置き、そして、膝置き部５を上下に移動させて、膝の曲げ伸ばしの動きのトレーニングを行っても良いものである。尚、図３では、便器本体部２は記載は省略してある。
【００３０】
以上に説明したように、本発明により、ベッド上置型排泄用補助器を、便器本体部と便器保持部とで構成し、前記便器保持部はベッドの上半部に一部が掛かる中空の略箱状の形状とされて、入口側が適宜に高くなるように前記便器本体部を着脱可能として保持し、且つ、前記便器保持部には患者の身体に対して直角方向のバー状に、両手で掴む取っ手部と、使用時にはそれぞれの膝を載置しておく膝置き部と、足かけ部とが設けられ、少なくとも、前記取っ手部と足かけ部とは患者の体格、若しくは、好みに応じる前後、上下の少なくとも一方向への位置調整が可能な構成とされていることを特徴とするベッド上置型排泄用補助器としたことで、現在、通常に採用されているベッドにおいても、特に改造を施すことなく、また、介護人、病人に煩雑な使用方法が要求されることなく、使用可能であり、且つ、快適に目的が達せられるものとなる。
【図面の簡単な説明】
【００３１】
【図１】本発明に係るベッド上置型排泄用補助器を一部を分解した状態で示す斜視図である。
【図２】同じく本発明に係るベッド上置型排泄用補助器の使用状態を示す説明図である。
【図３】同じく本発明に係るベッド上置型排泄用補助器の別の実施形態を示す説明図である。
【符号の説明】
【００３２】
１…ベッド上置型排泄用補助器
２…便器本体部
２ａ…蓋
３…便器保持部
３ａ…接地部
４…取っ手部
４ａ…グリップ
５…膝置き部
６…足かけ部
６ａ…ペダル
１０…ベッド
１１…床板
１１ａ…上半部
１１ｂ…中間部
１１ｃ…下半部
１２…マット
【図１】
2006055211.tif 000003
【図２】
2006055211.tif 000004
【図３】
2006055211.tif 000005